(57)【要約】【課題】フレキシブル回路基板の折曲辺が破損したり、折曲辺を通過する回路パターンが断線したりする恐れのないフレキシブル回路基板の取付板への取付構造を提供する。【解決手段】折曲辺１５で折り返して重ね合わせた重ね合せ部１３を有するフレキシブル回路基板１０を、取付板３０上に取り付けてなるフレキシブル回路基板の取付板への取付構造である。フレキシブル回路基板１０の折曲辺１５を取付板３０の外周辺近傍に配置する。折曲辺１５に沿う取付板３０の外周辺の部分を折曲辺１５側に向けて折り曲げて折曲辺保護壁３３とする。折曲辺保護壁３３の高さを折曲辺１５の高さより高くする。【選択図】図１
2008124324.tif 000002
【特許請求の範囲】
【請求項１】
折曲辺で折り返して重ね合わせた重ね合せ部を有するフレキシブル回路基板を、取付板上に取り付けてなるフレキシブル回路基板の取付板への取付構造において、
前記フレキシブル回路基板の折曲辺を取付板の外周辺近傍に配置するとともに、この折曲辺に沿う取付板の外周辺の部分を前記折曲辺側に向けて折り曲げて折曲辺保護壁としたことを特徴とするフレキシブル回路基板の取付板への取付構造。
【請求項２】
前記取付板の折曲辺保護壁の高さが、前記フレキシブル回路基板の折曲辺の高さより高いことを特徴とする請求項１に記載のフレキシブル回路基板の取付板への取付構造。
【発明の詳細な説明】
【技術分野】
【０００１】
本発明は、フレキシブル回路基板の取付板への取付構造に関するものである。
【背景技術】
【０００２】
従来、フレキシブル回路基板は可撓性を有するため、金属板や合成樹脂板等からなる取付板上に載置されて使用されている。
【０００３】
そしてフレキシブル回路基板はこれを所定の折曲辺の部分で折り返して重ね合わせて使用する場合がある。これは例えばフレキシブル回路基板に設けた一対のスイッチ接点パターンを所定の隙間を介して対向させてなるいわゆるメンブレンタイプのスイッチを形成する場合等である（例えば特許文献１参照）。
【０００４】
しかしながらフレキシブル回路基板の折曲辺の部分は強度的に弱い部分（特にその表面に形成される回路パターンは折り曲げによって強度が弱くなっている）なので、フレキシブル回路基板を取り付けた取付板を搬送したり、ケース等に組み込む際に、前記折曲辺が他の部材に当接し、フレキシブル回路基板を構成する合成樹脂フイルムが破損したり、回路パターンが断線したりする恐れがあった。
【０００５】
なお取付板が金属板のプレス加工によって形成されている場合、その外周辺にいわゆるバリが生じる。そして取付板上に載置するフレキシブル回路基板から引き出される引出部がこのバリによって傷つけられないようにするため、このバリを２次加工によって潰して滑らかな角部としたり、または前記プレス加工によってバリが生じる反対の面上にフレキシブル回路基板を設置することでバリが生じていない側の外周辺上を前記引出部が通過するようにしたりしている。
【特許文献１】特開２００２−２７００５８号公報
【発明の開示】
【発明が解決しようとする課題】
【０００６】
本発明は上述の点に鑑みてなされたものでありその目的は、フレキシブル回路基板の折曲辺が破損したり、折曲辺を通過する回路パターンが断線したりする恐れのないフレキシブル回路基板の取付板への取付構造を提供することにある。
【課題を解決するための手段】
【０００７】
本願請求項１に記載の発明は、折曲辺で折り返して重ね合わせた重ね合せ部を有するフレキシブル回路基板を、取付板上に取り付けてなるフレキシブル回路基板の取付板への取付構造において、前記フレキシブル回路基板の折曲辺を取付板の外周辺近傍に配置するとともに、この折曲辺に沿う取付板の外周辺の部分を前記折曲辺側に向けて折り曲げて折曲辺保護壁としたことを特徴とするフレキシブル回路基板の取付板への取付構造にある。
【０００８】
本願請求項２に記載の発明は、前記取付板の折曲辺保護壁の高さが、前記フレキシブル回路基板の折曲辺の高さより高いことを特徴とする請求項１に記載のフレキシブル回路基板の取付板への取付構造にある。
【発明の効果】
【０００９】
請求項１に記載の発明によれば、フレキシブル回路基板の折曲辺の部分が取付板の折曲辺保護壁によって保護されるので、このフレキシブル回路基板を取り付けた取付板を搬送したり、ケース等に組み込む際に、前記折曲辺が他の部材に当接して破損したり回路パターンが断線したりする恐れを防止できる。
【００１０】
また請求項１に記載の発明によれば、折曲辺保護壁は取付板の一部に容易に形成できるので、部品点数が増加せず組み立て工数も増加しない。
【００１１】
また請求項１に記載の発明によれば、取付板の外周辺の部分を折り曲げた形状の折曲辺保護壁としたので、取付板全体の折り曲げ強度を強くすることができる。
【００１２】
また請求項１に記載の発明によれば、折曲辺保護壁を設けることで、取付板上に回路基板を取り付ける際の位置決めに利用することもできる。
【００１３】
請求項２に記載の発明によれば、取付板の折曲辺保護壁の先端辺の高さを、フレキシブル回路基板の折曲辺の高さより高くしたので、より確実に折曲辺の破損や回路パターンの断線を防止することができる。
【発明を実施するための最良の形態】
【００１４】
以下、本発明の実施形態を図面に基づいて詳細に説明する。
図１は本発明の１実施形態にかかるフレキシブル回路基板の取付板への取付構造の１例を示す斜視図である。同図に示すようにフレキシブル回路基板１０は、取付板３０上に載置され、さらにこのフレキシブル回路基板１０上に載置される各種電子部品（多方向揺動兼回転式電子部品と押圧式電子部品）６０，７０とともに、取付板３０に一体に取り付けられている。以下各構成部品について説明する。
【００１５】
フレキシブル回路基板１０は可撓性を有する１枚の合成樹脂フイルム１１の表面（一方の面でも両面でも良い）に回路パターンやこれに接続される各種パターン（抵抗体パターンやスイッチパターン等）を形成して構成されている。合成樹脂フイルム１１の材質としては、可撓性のある合成樹脂フイルムであれば熱可塑性材料でも熱硬化性材料でも良く、例えばポリフェニレンスルフイド（ＰＰＳ）フイルム、ポリイミド（ＰＩ）フィルム、ポリエチレンテレフタレート（ＰＥＴ）フイルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等、各種材質のものが使用できる。なおこの実施形態ではＰＥＴフイルムを使用している。回路パターンやスイッチパターン等は、例えば導電ペーストを印刷したり、金属箔（例えば銅箔）をエッチングしたりして形成される。導電ペーストとしては、例えば銀ペースト〔溶剤に溶かしたウレタン系，フェノール系等の樹脂材に銀粉を混練したもの〕等を用いる。抵抗体パターンは、例えばカーボンペースト〔溶剤に溶かしたウレタン系，フェノール系等の樹脂材にカーボン粉を混練したもの〕）等を印刷することによって形成される。なおこの実施形態では回路パターンや各種パターンは合成樹脂フイルム１１の一方の面に形成されており、スイッチパターン等の一部のパターンを除いてその表面に絶縁層が印刷等によって形成され保護されている。
【００１６】
フレキシブル回路基板１０は、その所定位置に設けた折曲辺１５の部分が折り曲げられ、重ね合わされた部分を重ね合せ部１３としている。重ね合せ部１３の部分の内の一部（一端近傍部分）には押圧式電子部品７０が設置され、またフレキシブル回路基板１０の重ね合せ部１３となっていない部分には多方向揺動兼回転式電子部品６０が設置されている。フレキシブル回路基板１０には前記多方向揺動兼回転式電子部品６０及び押圧式電子部品７０から出力される各種電気信号を外部に引き出す帯状の引出部１７が設けられている。
【００１７】
前記折曲辺１５の部分は、重ね合せ部１３の上下の回路を接続するための回路パターンが通っている。また折曲辺１５の部分での折り曲げが容易となるように、折曲辺１５の間に２つの切り欠き部２１を設けている。この実施形態の場合、折曲辺１５によって折り曲げられた重ね合せ部１３の対向する側の面（内側面）に回路パターンが設けられている。このフレキシブル回路基板１０の折曲辺１５は取付板３０の外周辺の一部に設けた下記する折曲辺保護壁３３近傍にこれとほぼ平行に配置されている。
【００１８】
多方向揺動兼回転式電子部品６０は、円形のケース６１の上面中央に設けた開口６３から多方向（少なくとも直交する４方向以上）に揺動する操作レバー６５を突出し、またケース６１の外周を囲むようにリング形状の回転つまみ６７を設置して構成されている。そして操作レバー６５を各種方向に揺動すれば、揺動して下降した側に設置した図示しないフレキシブル回路基板１０上のスイッチがオンする。一方回転つまみ６７を回転すれば、回転つまみ６７と一体に回転する図示しない摺動子がフレキシブル回路基板１０上に形成した図示しないスイッチパターン又は抵抗体パターン上を摺動し、その出力を変化する。前記ケース６１と、前記回転つまみ６７の下部に設置されたリング状の基部６８とは、それらの下面から突出する図示しない小突起を、フレキシブル回路基板１０と取付板３０にそれぞれ設けた図示しない小孔に挿入し、各小突起先端を取付板３０の下面で熱カシメすることでこれら各部品を一体に取付板３０に取り付けている。なお基部６８の外周からはフレキシブル回路基板１０の重ね合せ部１３の上面に至る舌片状の押え部６９が突出しており、押え部６９の下面から突出する図示しない小突起を、重ね合せ部１３と取付板３０にそれぞれ設けた図示しない小孔に挿入し、小突起先端を取付板３０の下面で熱カシメすることで重ね合せ部１３を取付板３０に押え付け固定している。
【００１９】
押圧式電子部品７０は重ね合せ部１３の一部に設けたメンブレンスイッチ（重ね合わせた合成樹脂フイルム１１に設けた図示しない一対のスイッチ接点パターンを隙間を介して対向させて構成されるスイッチ）の上部に合成樹脂製のキートップ体７１を設置して構成されている。キートップ体７１は矩形状の基部７３から一対の細帯状の可撓性を有するヒンジ部７５を突出し、その先端に略円柱形状のキートップ部７７を取り付けて構成されている。キートップ部７７の下面中央には図示しない押圧部が設けられていて前記メンブレンスイッチ上に位置しており、キートップ部７７を押圧することでその押圧部がメンブレンスイッチを押圧してこれをオンする構成となっている。基部７３の下面からは図示しない小突起が突出しており、この小突起を重ね合せ部１３と取付板３０にそれぞれ設けた図示しない小孔に挿入し、小突起先端を取付板３０の下面で熱カシメすることで重ね合せ部１３を取付板３０に押え付けながらこれら各部品を一体に取付板３０に取り付けている。
【００２０】
取付板３０は１枚の硬質の金属板（この実施形態ではステンレス板であるが、鉄板等の他の各種金属であっても良い）によって構成され、その外形形状は前記重ね合せ部１３を有するフレキシブル回路基板１０全体（引出部１７を除く）を載置できる形状に形成されており、その角部近傍にはこの取付板３０を他の部材に取り付けるための取付孔３１が設けられている。また取付板３０の外周辺の内、前記フレキシブル回路基板１０の折曲辺１５が沿っている外周辺の部分には、前記折曲辺１５側（即ち取付板３０のフレキシブル回路基板１０を設置した面側）に向けてＬ字状に（略直角に）折り曲げてなる折曲辺保護壁３３が設けられている。折曲辺保護壁３３（その先端辺３３ａ）の高さは、前記フレキシブル回路基板１０の折曲辺１５の高さ（厚み方向の高さ）より高く構成している。また折曲辺保護壁３３の長手方向（辺方向）の長さは、折曲辺１５の長手方向の長さよりも長く形成され、これによって折曲辺保護壁３３の両端から折曲辺１５の両端がはみ出さないように構成している。
【００２１】
以上のように本実施形態によれば、フレキシブル回路基板１０の折曲辺１５の前方部分が折曲辺保護壁３３によって覆われて保護されるので、このフレキシブル回路基板１０を取り付けた取付板３０を搬送したり、図示しないケース等に組み込む際に、前記折曲辺１５が他の部材に当接することを防止できる。これによって折曲辺１５が破損することはなくなり、また折曲辺１５の部分を通過する回路パターンが傷付けられて断線する恐れを防止できる。即ち折曲辺１５の部分は折り曲げられているので合成樹脂フイルム１１自体の強度、特にこれを通過する回路パターンの強度が弱くなっており、この部分に他の部材が当接することで合成樹脂フイルムの破損や回路パターンの断線を招き易いが、本実施形態によれば、前述のようにこの問題を解決できる。特にこの実施形態によれば、取付板３０の折曲辺保護壁３３の高さが、フレキシブル回路基板１０の折曲辺１５の高さより高いので（さらに折曲辺保護壁３３の両端から折曲辺１５の両端がはみ出さないので）、より確実に折曲辺１５が他の部材に衝突等せず、折曲辺１５の破損や回路パターンの断線をより確実に防止できる。
【００２２】
しかも折曲辺保護壁３３は取付板３０の一部に容易に形成できるので、部品点数が増加して生産コストが上昇したり組み立て工数が増加したりすることもない。また取付板３０上に回路基板１０を取り付ける際に、この折曲辺保護壁３３に折曲辺１５を当接又は接近して配置させることで、取付板３０への回路基板１０の取付時の位置決めに利用することもできる。
【００２３】
また取付板３０の外周辺の部分を折り曲げた形状の折曲辺保護壁３３としたので、取付板３０全体の折り曲げ強度が強くなる。特にこの実施形態のように、１枚の取付板３０の両側に多方向揺動兼回転式電子部品６０と押圧式電子部品７０とを取り付けた場合は、取付孔３１でこの取付板３０を機器本体等に固定した場合、これら多方向揺動兼回転式電子部品６０と押圧式電子部品７０を操作する操作押圧力によって取付板３０が垂直方向に変形する恐れがあり、取付板３０が変形すると例えば取付板３０上を覆うケースの開口部に露出している前記多方向揺動兼回転式電子部品６０の操作レバー６５や押圧式電子部品７０のキートップ部７７等がこの開口部の内周辺に当接したり、取付板３０がその下側にある他の部材に当接する等の不都合を生じるが、本実施形態によれば、取付板３０（多方向揺動兼回転式電子部品６０と押圧式電子部品７０を取り付けたその中間）に折曲辺保護壁３３を設けることで取付板３０の折り曲げ強度が強くなっているので、このような問題も生じなくなる。
【００２４】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では取付板３０を硬質の金属板によって構成したが、その代りに硬質の合成樹脂板によって構成しても良い。またフレキシブル回路基板１０、重ね合せ部１３、折曲辺１５、取付板３０、折曲辺保護壁３３等の形状・構造に種々の変更が可能であることはいうまでもない。また上記実施形態では各種電子部品として多方向揺動兼回転式電子部品６０と押圧式電子部品７０とを設置したが、これら以外の各種電子部品を取り付けても良い。また各種電子部品は必ずしも設置しなくても良い。
【図面の簡単な説明】
【００２５】
【図１】フレキシブル回路基板１０の取付板３０への取付構造の１例を示す斜視図である。
【符号の説明】
【００２６】
１０  フレキシブル回路基板
１１  合成樹脂フイルム
１３  重ね合せ部
１５  折曲辺
１７  引出部
２１  切り欠き部
３０  取付板
３３  折曲辺保護壁
３３ａ  先端辺
６０  多方向揺動兼回転式電子部品（各種電子部品）
７０  押圧式電子部品（各種電子部品）
【図１】
2008124324.tif 000003